(57)【要約】【課題】伝送線路の特性インピーダンスを更に均一化すること。【解決手段】プリント配線板１００は、信号を伝送する伝送線路１０１を備えている。伝送線路１０１は、導体層１８１に配置された信号配線パターン１５１と、導体層１８４に配置された信号配線パターン１５２と、を有する。また、伝送線路１０１は、互いに隣接して配置され、信号配線パターン１５１と信号配線パターン１５２とを接続するヴィア導体１０６，１０７を有する。更に、伝送線路１０１は、導体層１８２に配置され、ヴィア導体１０６とヴィア導体１０７とを接続する信号配線パターン１５３と、導体層１８３に配置され、ヴィア導体１０６とヴィア導体１０７とを接続する信号配線パターン１５４と、を有する。【選択図】図１
2014225640.tif 000002
【特許請求の範囲】
【請求項１】
第１導体層と、前記第１導体層に対し間隔をあけて配置された第２導体層と、前記第１導体層と前記第２導体層との間に配置された第３導体層と、が絶縁体層を介して積層して形成されたプリント配線板において、
信号を伝送する伝送線路を備え、
前記伝送線路は、
前記第１導体層に配置された第１信号配線パターンと、
前記第２導体層に配置された第２信号配線パターンと、
互いに隣接して配置され、前記第１信号配線パターンと前記第２信号配線パターンとを接続する第１ヴィア導体及び第２ヴィア導体と、
前記第３導体層に配置され、前記第１ヴィア導体と前記第２ヴィア導体とを接続する第３信号配線パターンと、を有することを特徴とするプリント配線板。
【請求項２】
前記第１信号配線パターンが、
前記第１ヴィア導体に接続された第１ヴィアパッドと、
前記第２ヴィア導体に接続された第２ヴィアパッドと、
前記第１ヴィアパッドと前記第２ヴィアパッドとを接続する第１接続導体パターンと、を有し、
前記第２信号配線パターンが、
前記第１ヴィア導体に接続された第３ヴィアパッドと、
前記第２ヴィア導体に接続された第４ヴィアパッドと、
前記第３ヴィアパッドと前記第４ヴィアパッドとを接続する第２接続導体パターンと、を有し、
前記第３信号配線パターンが、
前記第１ヴィア導体に接続された第５ヴィアパッドと、
前記第２ヴィア導体に接続された第６ヴィアパッドと、
前記第５ヴィアパッドと前記第６ヴィアパッドとを接続する第３接続導体パターンと、を有することを特徴とする請求項１に記載のプリント配線板。
【請求項３】
前記第１接続導体パターン、前記第２接続導体パターン及び前記第３接続導体パターンが、前記プリント配線板の実装平面に対して垂直方向からの平面視で同一線上に配置されていることを特徴とする請求項２に記載のプリント配線板。
【請求項４】
前記第３接続導体パターンの配線幅が、前記第１ヴィア導体及び前記第２ヴィア導体の直径以上かつ前記第５ヴィアパッド及び前記第６ヴィアパッドの直径以下であることを特徴とする請求項２又は３に記載のプリント配線板。
【請求項５】
前記第１接続導体パターンの配線幅が、前記第１ヴィア導体及び前記第２ヴィア導体の直径以上かつ前記第１ヴィアパッド及び前記第２ヴィアパッドの直径以下であり、
前記第２接続導体パターンの配線幅が、前記第１ヴィア導体及び前記第２ヴィア導体の直径以上かつ前記第３ヴィアパッド及び前記第４ヴィアパッドの直径以下であることを特徴とする請求項２乃至４のいずれか１項に記載のプリント配線板。
【請求項６】
前記第３導体層が、前記第１導体層と前記第２導体層との間に絶縁体層を介して複数配置されており、
前記伝送線路は、前記第３信号配線パターンを、前記各第３導体層に対応して複数有していることを特徴とする請求項１乃至５のいずれか１項に記載のプリント配線板。
【請求項７】
前記第１ヴィア導体と前記第２ヴィア導体とのピッチが、前記第１導体層から前記第２導体層までの厚み以下であることを特徴とする請求項１乃至６のいずれか１項に記載のプリント配線板。
【請求項８】
一対の表層のうち、前記第１導体層が一方の表層、前記第２導体層が他方の表層であることを特徴とする請求項１乃至７のいずれか１項に記載のプリント配線板。
【請求項９】
前記第１導体層および前記第２導体層が前記プリント配線板の内層であり、前記第１信号配線パターンは第３ヴィア導体を介して一方の表層の第４信号配線パターンに接続されており、前記第２信号配線パターンは第４ヴィア導体を介して他方の表層の第５信号配線パターンに接続されていることを特徴とする請求項１乃至７のいずれか１項に記載のプリント配線板。
【請求項１０】
請求項１乃至９のいずれか１項に記載のプリント配線板と、
前記プリント配線板に実装され、前記伝送線路に信号を送出する送信回路と、
前記プリント配線板に実装され、前記送信回路より送出された信号を、前記伝送線路を介して受信する受信回路と、を備えたことを特徴とするプリント回路板。
【発明の詳細な説明】
【技術分野】
【０００１】
本発明は、伝送線路を備えたプリント配線板、及び該プリント配線板を備えたプリント回路板に関する。
【背景技術】
【０００２】
プリント配線板では、実装された複数の半導体集積回路の端子間を伝送線路で接続し、信号伝送を行っている。信号伝送においては、半導体集積回路から送信された信号の波形が、伝送線路を通る間に歪むことなく受信する側の半導体集積回路へ送られることが望ましい。そのため、波形歪みの原因となる反射が起こらないように、伝送線路の特性インピーダンスは極力均一化することが望まれる。
【０００３】
一方で、近年の電子機器の小型化の要求により、プリント配線板においては、信号の伝送に用いられる信号配線パターンが配置された導体層を複数持つ多層のプリント配線板が使われるようになってきた。多層のプリント配線板では、表裏異なる層に実装された半導体集積回路間の信号伝送を行う場合には、ヴィア導体によって信号配線パターンが配置される導体層を切り替えて配線する必要がある。
【０００４】
このようなヴィア導体は、信号配線パターンに対して不連続な構造物であるため、特性インピーダンスの均一化を妨げるものであるが、従来は動作周波数が低く、信号の立ち上がり時間に対して、信号がヴィアを通る時間が短いため、その影響は無視できた。
【０００５】
しかしながら、近年の回路動作の高速化によって、このヴィア導体による特性インピーダンスの不均一が無視できなくなってきた。
【０００６】
これを解決する方法として、表裏の信号配線パターン間を、近接した２つのヴィア導体で接続することで、特性インピーダンスを均一化する方法が提案されている（特許文献１参照）。信号配線パターンの特性インピーダンスは、４０［Ω］〜６０［Ω］程度であるが、ヴィア導体は特性インピーダンスにすると１２０［Ω］程度と信号配線パターンと比較して高い値となり、特性インピーダンスが不均一になる。
【０００７】
特許文献１では、特性インピーダンス１２０［Ω］のヴィア導体を並列化させることで、実効的に特性インピーダンスが半分程度のヴィア導体で接続したことになる。このため、２つのヴィア導体の特性インピーダンスを信号配線パターンの特性インピーダンスに近づけることができる。
【先行技術文献】
【特許文献】
【０００８】
【特許文献１】特開２００７−１２３７４２号公報
【発明の概要】
【発明が解決しようとする課題】
【０００９】
伝送線路の特性インピーダンスは、最大値と最小値との差（ばらつき幅）が小さいほどよい。例えば、伝送線路の特性インピーダンスのばらつき幅を、２０［％］以内（より好ましくは１０［％］以内）に抑制することが望ましい。
【００１０】
しかし、特許文献１では、２つのヴィア導体の部分の特性インピーダンスを信号配線パターンの特性インピーダンスに近づけているものの、依然として伝送線路の特性インピーダンスにばらつき幅が存在し、このばらつき幅を更に小さくすることが望まれていた。
【００１１】
そこで、本発明は、伝送線路の特性インピーダンスを更に均一化することができるプリント配線板及びプリント回路板を提供する。
【課題を解決するための手段】
【００１２】
本発明のプリント配線板は、第１導体層と、前記第１導体層に対し間隔をあけて配置された第２導体層と、前記第１導体層と前記第２導体層との間に配置された第３導体層と、が絶縁体層を介して積層して形成されたプリント配線板において、信号を伝送する伝送線路を備え、前記伝送線路は、前記第１導体層に配置された第１信号配線パターンと、前記第２導体層に配置された第２信号配線パターンと、互いに隣接して配置され、前記第１信号配線パターンと前記第２信号配線パターンとを接続する第１ヴィア導体及び第２ヴィア導体と、前記第３導体層に配置され、前記第１ヴィア導体と前記第２ヴィア導体とを接続する第３信号配線パターンと、を有することを特徴とする。
【発明の効果】
【００１３】
本発明によれば、２つのヴィア導体同士を第３信号配線パターンで接続したことにより、第１、第２、第３信号配線パターン間の容量性結合が増加し、ヴィア導体の周辺のキャパシタンス成分が増加する。これにより、ヴィア導体の周辺での特性インピーダンスの最大値が低減し、伝送線路の特性インピーダンスが更に均一化され、伝送線路におけるヴィア導体の部分での特性インピーダンスの不整合が抑制される。
【図面の簡単な説明】
【００１４】
【図１】第１実施形態に係るプリント回路板の断面図である。
【図２】第１実施形態に係るプリント配線板の各導体層の平面図である。
【図３】第１実施形態に係るプリント回路板においてシミュレーションを行って求めた伝送線路の特性インピーダンスを示すグラフである。
【図４】第２実施形態に係るプリント回路板の断面図である。
【図５】第２実施形態に係るプリント配線板の各導体層の平面図である。
【図６】第２実施形態に係るプリント回路板においてシミュレーションを行って求めた伝送線路の特性インピーダンスを示すグラフである。
【図７】比較例の伝送線路の特性インピーダンスを示すグラフである。
【図８】第３実施形態に係るプリント回路板の断面図である。
【図９】第３実施形態に係るプリント配線板の各導体層の平面図である。
【発明を実施するための形態】
【００１５】
以下、本発明を実施するための形態を、図面を参照しながら詳細に説明する。
【００１６】
［第１実施形態］
図１は、本発明の第１実施形態に係るプリント回路板の断面図である。この図１では、プリント配線板の実装平面に垂直な面に沿うプリント回路板の断面を示している。プリント回路板５００は、プリント配線板１００と、プリント配線板１００に実装された送信回路２００と、プリント配線板１００に実装された受信回路３００と、を備えている。
【００１７】
プリント配線板１００は、本第１実施形態では導体層が４層の基板であり、４つの導体層１８１，１８２，１８３，１８４が、絶縁体層１８５，１８６，１８７を介して積層されて形成されている。これら導体層１８１，１８２，１８３，１８４は、互いに間隔をあけて順次配置されており、これらの層間に絶縁体層１８５，１８６，１８７が設けられている。各絶縁体層１８５，１８６，１８７には、絶縁体（誘電体）が配置されている。
【００１８】
本第１実施形態では、一対の表層のうち、第１導体層である導体層１８１が一方の表層（第１表層）、第２導体層である導体層１８４が一方の表層の反対側にある他方の表層（第２表層）である。一対の導体層１８１，１８４の間に、内層である第３導体層として複数の導体層１８２，１８３が、絶縁体層１８５，１８６，１８７を介して配置されている。具体的には、導体層１８１と導体層１８２との間に絶縁体層１８５が配置され、導体層１８２と導体層１８３との間に絶縁体層１８６が配置され、導体層１８３と導体層１８４との間に絶縁体層１８７が配置されている。なお、表層である導体層１８１，１８４の表面には導体パターンを保護する不図示のレジスト膜が設けられていてもよい。
【００１９】
送信回路２００及び受信回路３００は、例えば半導体パッケージで構成されている。送信回路２００は、導体層１８１に実装され、受信回路３００は、導体層１８４に実装されている。
【００２０】
プリント配線板１００は、信号を伝送する伝送線路１０１を備えており、伝送線路１０１の一端に送信回路２００の信号端子が接続され、伝送線路１０１の他端に受信回路３００の信号端子が接続されている。また、プリント配線板１００は、導体層１８２に配置されたプレーン状の導体パターンであるグラウンドプレーン１０２と、導体層１８３に配置されたプレーン状の導体パターンである電源プレーン１０３とを有している。
【００２１】
グラウンドプレーン１０２には、不図示のヴィア等を介して送信回路２００のグラウンド端子及び受信回路３００のグラウンド端子が接続されている。また、電源プレーン１０３には、不図示のヴィア等を介して送信回路２００の電源端子及び受信回路３００の電源端子が接続されている。
【００２２】
送信回路２００は、信号として、所定の伝送速度のデジタル信号を伝送線路１０１に送出し、受信回路３００は、送信回路２００が送出したデジタル信号を、伝送線路１０１を介して受信する。
【００２３】
伝送線路１０１は、導体層１８１に配置された第１信号配線パターンである信号配線パターン１５１と、導体層１８４に配置された第２信号配線パターンである信号配線パターン１５２と、を有している。これら信号配線パターン１５１，１５２は、導体パターンで形成されている。信号配線パターン１５１には、送信回路２００が接続され、信号配線パターン１５２には、受信回路３００が接続されている。
【００２４】
また、伝送線路１０１は、プリント配線板１００に形成された第１ヴィア孔であるヴィア孔１６１に形成され、信号配線パターン１５１と信号配線パターン１５２とを接続する第１ヴィア導体であるヴィア導体１０６を有している。また、伝送線路１０１は、プリント配線板１００に形成された第２ヴィア孔であるヴィア孔１６２に形成され、信号配線パターン１５１と信号配線パターン１５２とを接続する第２ヴィア導体であるヴィア導体１０７を有している。これらヴィア孔１６１，１６２、即ちヴィア導体１０６，１０７は、間隔をあけて互いに隣接して配置されている。本実施形態では、ヴィア孔１６１，１６２は、スルーホール（貫通穴）であり、ヴィア導体１０６，１０７は、スルーホールに形成されたスルーホール導体である。
【００２５】
更に、伝送線路１０１は、導体層１８２に配置され、ヴィア導体１０６とヴィア導体１０７とを接続する第３信号配線パターンである信号配線パターン１５３を有している。更にまた、伝送線路１０１は、導体層１８３に配置され、ヴィア導体１０６とヴィア導体１０７とを接続する第３信号配線パターンである信号配線パターン１５４を有している。
【００２６】
このように伝送線路１０１は、第３信号配線パターンを、各第３導体層に対応して複数有しており、本第１実施形態では、２つの導体層１８２，１８３に対応して、２つ有している。即ち伝送線路１０１は、複数の第３信号配線パターンとして、信号配線パターン１５３，１５４を有している。
【００２７】
以下に、インピーダンスの不整合を抑制する原理を説明する。まず、ヴィア導体１個の特性インピーダンスＺｖｉａは、ヴィア導体の有するインダクタンス成分Ｌｖｉａとキャパシタンス成分Ｃｖｉａより、次式（１）で決まる。
Ｚｖｉａ＝√（Ｌｖｉａ／Ｃｖｉａ）・・・式（１）
【００２８】
本実施形態では、ヴィア導体１０６，１０７が並列化されている。これにより、伝送線路１０１におけるヴィア導体１０６，１０７の部分の特性インピーダンスが約半分になる。しかし、ヴィア導体１０６，１０７を並列化しただけでは、信号配線パターン１５１，１５２に対してヴィア導体１０６，１０７の部分の特性インピーダンスが高い。
【００２９】
本実施形態では、更に、ヴィア導体１０６，１０７間を信号配線パターン１５３，１５４で接続している。これにより、信号配線パターン１５１〜１５４間の容量性結合により、キャパシタンス成分Ｃｖｉａが増加する。したがって、ヴィア導体１０６，１０７の部分の特性インピーダンスＺｖｉａが低減され、伝送線路１０１における特性インピーダンスのばらつき幅が低減する。
【００３０】
図２（ａ）は、図１中矢印Ｘ方向から見たプリント配線板１００の導体層１８１の平面図である。図２（ｂ）は、図１中矢印Ｘ方向から見たプリント配線板１００の導体層１８２の平面図である。図２（ｃ）は、図１中矢印Ｘ方向から見たプリント配線板１００の導体層１８３の平面図である。図２（ｄ）は、図１中矢印Ｘ方向から見たプリント配線板１００の導体層１８４の平面図である。ここで、矢印Ｘ方向は、プリント配線板１００の実装平面に対する垂直方向である。
【００３１】
図２（ａ）に示すように、信号配線パターン１５１は、ヴィア導体１０６に接続された第１ヴィアパッドであるヴィアパッド１１６と、ヴィア導体１０７に接続された第２ヴィアパッドであるヴィアパッド１１７と、を有している。また、信号配線パターン１５１は、ヴィアパッド１１６とヴィアパッド１１７とを接続する第１接続導体パターンである接続導体パターン１１０と、送信回路２００とヴィアパッド１１６とを接続する配線パターン１０４と、を有している。
【００３２】
また、図２（ｄ）に示すように、信号配線パターン１５２は、ヴィア導体１０６に接続された第３ヴィアパッドであるヴィアパッド１４６と、ヴィア導体１０７に接続された第４ヴィアパッドであるヴィアパッド１４７と、を有している。また、信号配線パターン１５２は、ヴィアパッド１４６とヴィアパッド１４７とを接続する第２接続導体パターンである接続導体パターン１１１と、受信回路３００とヴィアパッド１４７とを接続する配線パターン１０５と、を有している。
【００３３】
また、図２（ｂ）に示すように、信号配線パターン１５３は、ヴィア導体１０６に接続された第５ヴィアパッドであるヴィアパッド１２６と、ヴィア導体１０７に接続された第６ヴィアパッドであるヴィアパッド１２７と、を有している。また、信号配線パターン１５３は、ヴィアパッド１２６とヴィアパッド１２７とを接続する第３接続導体パターンである接続導体パターン１０８を有している。
【００３４】
また、図２（ｃ）に示すように、信号配線パターン１５４は、ヴィア導体１０６に接続された第５ヴィアパッドであるヴィアパッド１３６と、ヴィア導体１０７に接続された第６ヴィアパッドであるヴィアパッド１３７と、を有している。また、信号配線パターン１５４は、ヴィアパッド１３６とヴィアパッド１３７とを接続する第３接続導体パターンである接続導体パターン１０９を有している。
【００３５】
接続導体パターン１０８〜１１１は、平面視（プリント配線板１００の実装平面に垂直な矢印Ｘ方向から見て）同一線上に配置されている。これにより、信号配線パターン１５１〜１５４間のキャパシタンス成分が高められ、より効果的にヴィア導体１０６，１０７の周辺の特性インピーダンスが低減される。
【００３６】
本実施形態では、接続導体パターン１０８〜１１１は、矢印Ｘ方向から見て、ヴィア導体１０６の中心Ｐ１とヴィア導体１０７の中心Ｐ２とを結ぶ直線上に配置されている。したがって、これら接続導体パターン１０８〜１１１は、最短経路であり、配線の占有面積が小さくなっている。
【００３７】
なお、導体層１８２にあるグラウンドプレーン１０２には、ヴィア導体１０６，１０７、ヴィアパッド１２６，１２７及び接続導体パターン１０８を取り囲んだクリアランスホール１７２が形成されている。また、導体層１８３にある電源プレーン１０３には、ヴィア導体１０６，１０７、ヴィアパッド１３６，１３７及び接続導体パターン１０９を取り囲んだクリアランスホール１７３が形成されている。
【００３８】
（シミュレーション例１）
以下に、第１実施形態で説明したプリント回路板５００において、具体的な数値を設定して解析し，その効果について説明する。シミュレーションに用いたプリント配線板１００の各部の寸法を以下に示す。
【００３９】
導体層１８１，１８４の厚みは０．０４３［ｍｍ］とした。導体層１８２，１８３の厚みは０．０３５［ｍｍ］とした。絶縁体層１８５，１８７の厚みは０．１［ｍｍ］とした。絶縁体層１８６の厚みは１．３［ｍｍ］とした。プリント配線板１００の総厚Ｔ１は１．６５６［ｍｍ］となった。
【００４０】
導体パターン１０４，１０５，１０８，１０９，１１０，１１１の幅は、０．１２５［ｍｍ］とした。ヴィア導体１０６，１０７の直径（外径）は０．３［ｍｍ］とした。ヴィアパッド１１６，１１７，１４６，１４７の直径は０．６［ｍｍ］とした。ヴィアパッド１２６，１２７，１３６，１３７の直径は０．８［ｍｍ］とした。ヴィア導体１０６，１０７間のピッチＤ１は１．０［ｍｍ］とした。クリアランスホール１７２，１７３は長手方向に２．０［ｍｍ］とし、短手方向に１．０［ｍｍ］とした。ヴィアパッド１２６，１２７とグラウンドプレーン１０２との最小間隙は０．１［ｍｍ］とした。ヴィアパッド１３６，１３７と電源プレーン１０３との最小間隙は０．１［ｍｍ］とした。
【００４１】
ヴィアパッド１１６，１１７の直径が０．６［ｍｍ］であり、ヴィア導体１０６，１０７のピッチＤ１が１．０［ｍｍ］であるため、接続導体パターン１１０の最短長さは、０．４［ｍｍ］である。ヴィアパッド１４６，１４７の直径が０．６［ｍｍ］であり、ヴィア導体１０６，１０７のピッチＤ１が１．０［ｍｍ］であるため、接続導体パターン１１１の最短長さは、０．４［ｍｍ］である。ヴィアパッド１２６，１２７の直径が０．８［ｍｍ］であり、ヴィア導体１０６，１０７のピッチが１．０［ｍｍ］であるため、接続導体パターン１０８の最短長さは、０．２［ｍｍ］である。ヴィアパッド１３６，１３７の直径が０．８［ｍｍ］であり、ヴィア導体１０６，１０７のピッチが１．０［ｍｍ］であるため、接続導体パターン１０９の最短長さは、０．２［ｍｍ］である。なお、絶縁体層の比誘電率は４．３とした。
【００４２】
配線パターン１０４の送信回路２００の側の端部より振幅Ｖｉｎ、立ち上がり時間３５［ｐｓ］のステップパルスを入力するＴＤＲ（Ｔｉｍｅ  Ｄｏｍａｉｎ  Ｒｅｆｌｅｃｔｏｍｅｒｙ）法により反射率を観測するシミュレーションを行った。そして、伝送線路１０１の特性インピーダンスを算出した。観測点（配線パターン１０４の送信回路２００の側の端部）の電圧をＶｒとし、パルス信号の出力インピーダンスを５０［Ω］とするとき、伝送線路１０１の特性インピーダンスＺは次の式（２）で計算できる。
Ｚ＝（１＋（Ｖｒ−Ｖｉｎ）／Ｖｉｎ）／（１−（Ｖｒ−Ｖｉｎ）／Ｖｉｎ）×５０…式（２）
【００４３】
上記条件でＴＤＲシミュレーションした結果を図３（ａ）へ示す。縦軸が伝送線路１０１の特性インピーダンスで、横軸が時間である。伝送線路１０１の特性インピーダンスの中心値は５２［Ω］であった。また、特性インピーダンスの最大値Ｚｍａｘは５９．５［Ω］、最小値Ｚｍｉｎは４９．８［Ω］となり、その差ΔＺが９．７［Ω］となった。
【００４４】
よってヴィア導体１０６，１０７の部分の特性インピーダンスＺのばらつき幅ΔＺが、伝送線路１０１の特性インピーダンス５２［Ω］に対するばらつき幅の許容値である２０［％］以内である１０．４［Ω］に収まった。
【００４５】
（シミュレーション例２）
本シミュレーション例２では、プリント回路板５００において接続導体パターン１０８，１０９，１１０，１１１の配線幅を０．３［ｍｍ］とした場合のシミュレーション結果を示す。つまり、接続導体パターン１０８，１０９，１１０，１１１の配線幅を、ヴィア導体１０６，１０７の直径に設定した場合のシミュレーション結果を示す。なお、これら以外の各部の寸法は、シミュレーション例１と同一とした。
【００４６】
ＴＤＲシミュレーション結果を図３（ｂ）に示す。縦軸が伝送線路１０１の特性インピーダンスで、横軸が時間である。
【００４７】
配線パターン１０４，１０５の配線幅０．１２５［ｍｍ］よりも接続導体パターン１０８，１０９を太くすることにより、接続導体パターン１０８，１０９間のキャパシタンス成分を増加させることができる。また、接続導体パターン１１０，１０８間、接続導体パターン１０９，１１１間のキャパシタンス成分も増加させることができる。
【００４８】
加えて、接続導体パターン１１０，１１１も配線パターン１０４，１０５の配線幅０．１２５［ｍｍ］よりも太くしている。これにより、接続導体パターン１１０，１０８間、接続導体パターン１０９，１１１間の容量性結合によるキャパシタンス成分を更に増加させることができる。
【００４９】
このように、接続導体パターン１０８，１０９，１１０，１１１を太くすることによって、ヴィア導体１０６，１０７の周辺の部分の特性インピーダンスのキャパシタンス成分Ｃｖｉａを増加させることができる。したがって、ヴィア導体１０６，１０７の周辺の部分の特性インピーダンスの上昇を抑制することができる。
【００５０】
本シミュレーション結果では、特性インピーダンスの最大値Ｚｍａｘが５９．０［Ω］、最小値Ｚｍｉｎが４９．４［Ω］となり、その差ΔＺが９．６［Ω］となった。よってヴィア導体１０６，１０７の部分の特性インピーダンスのばらつき幅ΔＺが、伝送線路１０１の特性インピーダンス５２［Ω］に対するばらつき幅の許容値である２０［％］以内である１０．４［Ω］に収まった。
【００５１】
（シミュレーション例３）
本シミュレーション例３では、プリント回路板５００において接続導体パターン１０８，１０９の配線幅を０．８［ｍｍ］とし、接続導体パターン１１０，１１１の配線幅を０．６［ｍｍ］とした場合のシミュレーション結果を示す。即ち、接続導体パターン１０８，１０９の配線幅を、ヴィアパッド１２６，１２７，１３６，１３７の直径に設定し、接続導体パターン１１０，１１１の配線幅を、ヴィアパッド１１６，１１７，１４６，１４７の直径に設定した場合について示す。なお、これら以外の各部の寸法は、シミュレーション例１と同一とした。
【００５２】
ＴＤＲシミュレーション結果を図３（ｃ）に示す。縦軸が伝送線路１０１の特性インピーダンスで、横軸が時間である。
【００５３】
伝送線路１０１の特性インピーダンスの最大値Ｚｍａｘが５６．３［Ω］、最小値Ｚｍｉｎが４７．６［Ω］となり、その差ΔＺが８．７［Ω］となった。よってヴィア導体１０６，１０７の部分の特性インピーダンスのばらつき幅ΔＺが、伝送線路１０１の特性インピーダンス５０［Ω］に対するばらつき幅の許容値である２０［％］以内である１０．４［Ω］に収まった。また特性インピーダンスの最大値Ｚｍａｘと最小値Ｚｍｉｎが、伝送線路１０１の特性インピーダンス５２［Ω］±１０［％］（５７．２〜４６．８［Ω］）に収まった。
【００５４】
即ち、接続導体パターン１０８，１０９の配線幅を、ヴィア導体１０６，１０７の直径以上かつヴィアパッド１２６，１２７，１３６，１３７の直径以下に設定することで、伝送線路１０１の特性インピーダンスのばらつき幅ΔＺが更に低減する。更に、接続導体パターン１１０，１１１の配線幅を、ヴィア導体１０６，１０７の直径以上かつヴィアパッド１１６，１１７，１４６，１４７の直径以下に設定することで、伝送線路１０１の特性インピーダンスのばらつき幅ΔＺが更に低減する。
【００５５】
（シミュレーション例４）
ここで、ヴィア導体１０６，１０７の部分の特性インピーダンスとヴィア導体１０６，１０７間のピッチＤ１との関係について説明する。ここで、シミュレーション例３で挙げた形態において、ヴィアピッチＤ１を変化させた場合の特性インピーダンスの最大値Ｚｍａｘ及び最小値Ｚｍｉｎを導出した。図３（ｄ）に特性インピーダンス最大値Ｚｍａｘ、最小値Ｚｍｉｎとヴィア導体１０６，１０７間のピッチＤ１の関係を示した。縦軸が特性インピーダンスで、横軸がヴィアピッチである。ヴィアピッチＤ１が、プリント配線板１００の厚みＴ１、即ち、導体層１８１から導体層１８４までの厚みＴ１が１．６５６［ｍｍ］を超えると、急激に最大値Ｚｍａｘと最小値Ｚｍｉｎの差ΔＺが大きくなった。
【００５６】
この結果から、ヴィア導体１０６とヴィア導体１０７とのピッチＤ１が、導体層１８１から導体層１８４までの厚みＴ１以下であることが好ましく、これにより効果的にばらつき幅ΔＺを低減することができる。
【００５７】
ここで、ピッチＤ１が厚みＴ１よりも大きくなったときに、インピーダンス変動幅ΔＺが大きくなった理由を説明する。配線パターン１０４へ入力されたステップパルス信号は、ヴィアパッド１１６へ到達すると、ヴィア導体１０６と接続導体パターン１１０へ分岐し、伝搬していく。ここで、ヴィアピッチＤ１がプリント配線板１００の厚みＴ１を超えていると、ヴィア導体１０６を伝搬した信号がヴィアパッド１４６へ到達したときに、接続導体パターン１１０へ分岐した信号は、ヴィアパッド１１７へ到達していない。
【００５８】
この後、ヴィア導体１０６を通過した信号がヴィアパッド１４６を経由して接続導体パターン１１１へ信号が伝搬していくときに、信号が伝搬している経路は接続導体パターン１０８，１０９，１１０，１１１の並列となる。すると、元来ヴィア導体よりも特性インピーダンスの低い信号配線のみの並列配線となるため、特性インピーダンスが下がり過ぎてしまう。また、特性インピーダンスが急激に低下したことによる揺り戻しによって、最大値も増加する。そのため、特性インピーダンスのばらつき幅ΔＺを抑制するためには、ヴィアピッチＤ１がプリント配線板１００の厚みＴ１以下であることが望ましい。
【００５９】
（実機検証方法）
実際のプリント配線板１００において、伝送線路１０１の特性インピーダンスを測定するためには、ＴＤＲオシロスコープを使用する。配線パターン１０４の送信回路２００側の端部より、振幅Ｖｉｎ（例えば４００［ｍＶ］）、立ち上がり時間３５［ｐｓ］のステップパルスをプローブを介して入力する。特性インピーダンスの不整合点があると、そこで信号が反射し、信号を入力したプローブへ信号が戻って来るため、プローブで観測される信号には反射電圧が加算されている。この観測電圧から伝送線路１０１の特性インピーダンスを算出できる。観測点の電圧をＶｒとし、パルス信号の出力インピーダンスを５０［Ω］とするとき、伝送線路１０１の特性インピーダンスＺは上記した式（２）で計算できる。
【００６０】
（比較例）
比較例として、ヴィア導体を１つとした場合と、ヴィア導体を２つとし、第３信号配線パターンを無くした場合について、シミュレーションを行った結果を示す。
【００６１】
図７は、比較例の伝送線路の特性インピーダンスを示すグラフである。なお、プリント配線板の各部の寸法は、シミュレーション例１と同様とした。ヴィア１個の特性インピーダンスＺ１が、ヴィア２個にすることで特性インピーダンスＺ２に改善されていることがわかる。しかしながら、ヴィア２個の特性インピーダンスＺ２のばらつき幅ΔＺは１１．６［Ω］であり、本実施形態よりも大きい。また、特性インピーダンスの中心値５２［Ω］に対して、ばらつき幅ΔＺが所望の範囲内である１０．４［Ω］に収めることができていない。
【００６２】
これに対し、本第１実施形態によれば、２つのヴィア導体１０６，１０７同士を信号配線パターン１５３，１５４で接続したことで、ヴィア導体１０６，１０７の周辺のキャパシタンス成分が増加する。したがって、ヴィア導体１０６，１０７の周辺での特性インピーダンスの最大値が低減する。これにより、伝送線路１０１の特性インピーダンスが更に均一化され、伝送線路１０１におけるヴィア導体１０６，１０７の部分での特性インピーダンスの不整合が抑制される。
【００６３】
［第２実施形態］
次に、本発明の第２実施形態に係るプリント回路板について説明する。図４は、本発明の第２実施形態に係るプリント回路板の断面図である。この図４では、プリント配線板の実装平面に垂直な面に沿うプリント回路板の断面を示している。プリント回路板１０００は、プリント配線板６００と、プリント配線板６００に実装された送信回路２００と、プリント配線板６００に実装された受信回路３００と、を備えている。
【００６４】
プリント配線板６００は、本第２実施形態では導体層が６層の基板であり、６つの導体層６８１，６８２，６８３，６８４，６８５，６８６が、絶縁体層６８７，６８８，６８９，６９０，６９１を介して積層されて形成されている。これら導体層６８１〜６８６は、互いに間隔をあけて順次配置されており、これらの層間に絶縁体層６８７〜６９１が設けられている。各絶縁体層６８７〜６９１には、絶縁体（誘電体）が配置されている。
【００６５】
本第２実施形態では、一対の表層のうち、第１導体層である導体層６８１が一方の表層（第１表層）、第２導体層である導体層６８６が一方の表層の反対側にある他方の表層（第２表層）である。一対の導体層６８１，６８６の間に、内層である第３導体層として複数の導体層６８２〜６８５が、絶縁体層６８７〜６９１を介して配置されている。具体的には、導体層６８１と導体層６８２との間に絶縁体層６８７が配置され、導体層６８２と導体層６８３との間に絶縁体層６８８が配置され、導体層６８３と導体層６８４との間に絶縁体層６８９が配置されている。また、導体層６８４と導体層６８５との間に絶縁体層６９０が配置され、導体層６８５と導体層６８６との間に絶縁体層６９１が配置されている。なお、表層である導体層６８１，６８６の表面には導体パターンを保護する不図示のレジスト膜が設けられていてもよい。
【００６６】
送信回路２００及び受信回路３００は、例えば半導体パッケージで構成されている。送信回路２００は、導体層６８１に実装され、受信回路３００は、導体層６８６に実装されている。
【００６７】
プリント配線板６００は、信号を伝送する伝送線路６０１を備えており、伝送線路６０１の一端に送信回路２００の信号端子が接続され、伝送線路６０１の他端に受信回路３００の信号端子が接続されている。また、プリント配線板６００は、導体層６８２に配置されたプレーン状の導体パターンであるグラウンドプレーン６０２と、導体層６８５に配置されたプレーン状の導体パターンである電源プレーン６０３とを有している。
【００６８】
グラウンドプレーン６０２には、不図示のヴィア等を介して送信回路２００のグラウンド端子及び受信回路３００のグラウンド端子が接続されている。また、電源プレーン６０３には、不図示のヴィア等を介して送信回路２００の電源端子及び受信回路３００の電源端子が接続されている。
【００６９】
送信回路２００は、信号として、所定の伝送速度のデジタル信号を伝送線路６０１に送出し、受信回路３００は、送信回路２００が送出したデジタル信号を、伝送線路６０１を介して受信する。
【００７０】
伝送線路６０１は、導体層６８１に配置された第１信号配線パターンである信号配線パターン６５１と、導体層６８６に配置された第２信号配線パターンである信号配線パターン６５２と、を有している。これら信号配線パターン６５１，６５２は、導体パターンで形成されている。信号配線パターン６５１には、送信回路２００が接続され、信号配線パターン６５２には、受信回路３００が接続されている。
【００７１】
また、伝送線路６０１は、プリント配線板６００に形成された第１ヴィア孔であるヴィア孔６６１に形成され、信号配線パターン６５１と信号配線パターン６５２とを接続する第１ヴィア導体であるヴィア導体６０６を有している。また、伝送線路６０１は、プリント配線板６００に形成された第２ヴィア孔であるヴィア孔６６２に形成され、信号配線パターン６５１と信号配線パターン６５２とを接続する第２ヴィア導体であるヴィア導体６０７を有している。これらヴィア孔６６１，６６２、即ちヴィア導体６０６，６０７は、間隔をあけて互いに隣接して配置されている。本実施形態では、ヴィア孔６６１，６６２は、スルーホール（貫通穴）であり、ヴィア導体６０６，６０７は、スルーホールに形成されたスルーホール導体である。
【００７２】
更に、伝送線路６０１は、導体層６８２に配置され、ヴィア導体６０６とヴィア導体６０７とを接続する第３信号配線パターンである信号配線パターン６５３を有している。更にまた、伝送線路６０１は、導体層６８３に配置され、ヴィア導体６０６とヴィア導体６０７とを接続する第３信号配線パターンである信号配線パターン６５４を有している。更にまた、伝送線路６０１は、導体層６８４に配置され、ヴィア導体６０６とヴィア導体６０７とを接続する第３信号配線パターンである信号配線パターン６５５を有している。更にまた、伝送線路６０１は、導体層６８５に配置され、ヴィア導体６０６とヴィア導体６０７とを接続する第３信号配線パターンである信号配線パターン６５６を有している。
【００７３】
このように伝送線路６０１は、第３信号配線パターンを、各第３導体層に対応して複数有しており、本第２実施形態では、４つの導体層６８２〜６８５に対応して、４つ有している。即ち伝送線路６０１は、複数の第３信号配線パターンとして、信号配線パターン６５３，６５４，６５５，６５６を有している。
【００７４】
本実施形態では、ヴィア導体６０６，６０７が並列化されている。更に、本実施形態では、ヴィア導体６０６，６０７間を信号配線パターン６５３〜６５６で接続している。これにより、信号配線パターン６５１〜６５６間の容量性結合によるキャパシタンス成分が増加する。したがって、ヴィア導体６０６，６０７の周辺部分の特性インピーダンスが低減され、伝送線路６０１における特性インピーダンスのばらつき幅が低減する。
【００７５】
図５（ａ）は、図４中矢印Ｘ方向から見たプリント配線板６００の導体層６８１の平面図である。図５（ｂ）は、図４中矢印Ｘ方向から見たプリント配線板６００の導体層６８２の平面図である。図５（ｃ）は、図４中矢印Ｘ方向から見たプリント配線板６００の導体層６８３の平面図である。図５（ｄ）は、図４中矢印Ｘ方向から見たプリント配線板６００の導体層６８４の平面図である。図５（ｅ）は、図４中矢印Ｘ方向から見たプリント配線板６００の導体層６８５の平面図である。図５（ｆ）は、図４中矢印Ｘ方向から見たプリント配線板６００の導体層６８６の平面図である。
【００７６】
図５（ａ）に示すように、信号配線パターン６５１は、ヴィア導体６０６に接続された第１ヴィアパッドであるヴィアパッド６１６と、ヴィア導体６０７に接続された第２ヴィアパッドであるヴィアパッド６１７と、を有している。また、信号配線パターン６５１は、ヴィアパッド６１６とヴィアパッド６１７とを接続する第１接続導体パターンである接続導体パターン６１２と、送信回路２００とヴィアパッド６１６とを接続する配線パターン６０４と、を有している。
【００７７】
また、図５（ｆ）に示すように、信号配線パターン６５２は、ヴィア導体６０６に接続された第３ヴィアパッドであるヴィアパッド６６６と、ヴィア導体６０７に接続された第４ヴィアパッドであるヴィアパッド６６７と、を有している。また、信号配線パターン６５２は、ヴィアパッド６６６とヴィアパッド６６７とを接続する第２接続導体パターンである接続導体パターン６１３と、受信回路３００とヴィアパッド６６７とを接続する配線パターン６０５と、を有している。
【００７８】
また、図５（ｂ）に示すように、信号配線パターン６５３は、ヴィア導体６０６に接続された第５ヴィアパッドであるヴィアパッド６２６と、ヴィア導体６０７に接続された第６ヴィアパッドであるヴィアパッド６２７と、を有している。また、信号配線パターン６５３は、ヴィアパッド６２６とヴィアパッド６２７とを接続する第３接続導体パターンである接続導体パターン６０８を有している。
【００７９】
また、図５（ｃ）に示すように、信号配線パターン６５４は、ヴィア導体６０６に接続された第５ヴィアパッドであるヴィアパッド６３６と、ヴィア導体６０７に接続された第６ヴィアパッドであるヴィアパッド６３７と、を有している。また、信号配線パターン６５４は、ヴィアパッド６３６とヴィアパッド６３７とを接続する第３接続導体パターンである接続導体パターン６０９を有している。
【００８０】
また、図５（ｄ）に示すように、信号配線パターン６５５は、ヴィア導体６０６に接続された第５ヴィアパッドであるヴィアパッド６４６と、ヴィア導体６０７に接続された第６ヴィアパッドであるヴィアパッド６４７と、を有している。また、信号配線パターン６５５は、ヴィアパッド６４６とヴィアパッド６４７とを接続する第３接続導体パターンである接続導体パターン６１０を有している。
【００８１】
また、図５（ｅ）に示すように、信号配線パターン６５６は、ヴィア導体６０６に接続された第５ヴィアパッドであるヴィアパッド６７６と、ヴィア導体６０７に接続された第６ヴィアパッドであるヴィアパッド６７７と、を有している。また、信号配線パターン６５６は、ヴィアパッド６７６とヴィアパッド６７７とを接続する第３接続導体パターンである接続導体パターン６１１を有している。
【００８２】
接続導体パターン６０８〜６１３は、平面視（プリント配線板６００の実装平面に垂直な矢印Ｘ方向から見て）同一線上に配置されている。これにより、信号配線パターン６５１〜６５６間のキャパシタンス成分が高められ、より効果的にヴィア導体６０６，６０７の周辺の特性インピーダンスが低減される。
【００８３】
本実施形態では、接続導体パターン６０８〜６１３は、矢印Ｘ方向から見て、ヴィア導体６０６の中心Ｐ１１とヴィア導体６０７の中心Ｐ１２とを結ぶ直線上に配置されている。したがって、これら接続導体パターン６０８〜６１３は、最短経路であり、配線の占有面積が小さくなっている。
【００８４】
なお、導体層６８２にあるグラウンドプレーン６０２には、ヴィア導体６０６，６０７、ヴィアパッド６２６，６２７及び接続導体パターン６０８を取り囲んだクリアランスホール６７２が形成されている。また、導体層６８５にある電源プレーン６０３には、ヴィア導体６０６，６０７、ヴィアパッド６７６，６７７及び接続導体パターン６１１を取り囲んだクリアランスホール６７５が形成されている。
【００８５】
（シミュレーション例５）
以下に、第２実施形態で説明したプリント回路板１０００において、具体的な数値を設定して解析し，その効果について説明する。シミュレーションに用いたプリント配線板６００の各部の寸法を以下に示す。
【００８６】
導体層６８１，６８６の厚みは０．０４３［ｍｍ］とした。導体層６８２，６８３，６８４，６８５の厚みは０．０３５［ｍｍ］とした。絶縁体層６８７，６９１の厚みは０．１［ｍｍ］とした。絶縁体層６８８，６９０の厚みは０．５［ｍｍ］とした。絶縁体層６８９の厚みは０．２［ｍｍ］とした。プリント配線板６００の総厚Ｔ２は１．６２６［ｍｍ］となった。
【００８７】
導体パターン６０４，６０５，６０８，６０９，６１０，６１１，６１２，６１３の配線幅は０．１２５［ｍｍ］とした。ヴィア導体６０６，６０７の直径（外径）は０．３［ｍｍ］とした。ヴィアパッド６１６，６１７，６６６，６６７の直径は０．６［ｍｍ］とした。ヴィアパッド６２６，６２７，６３６，６３７，６４６，６４７，６７６，６７７の直径は０．８［ｍｍ］とした。ヴィアピッチＤ２は１．０［ｍｍ］とした。クリアランスホール６７２，６７５は長手方向に２．０［ｍｍ］とし、短手方向に１．０［ｍｍ］とした。ヴィアパッド６２６，６２７とグラウンドプレーン６０２との最小間隙は０．１［ｍｍ］とした。ヴィアパッド６７６，６７７と電源プレーン６０３との最小間隙は０．１［ｍｍ］とした。
【００８８】
ヴィアパッド６１６，６１７の直径が０．６［ｍｍ］であり、ヴィア導体６０６，６０７のピッチが１．０［ｍｍ］であるため、接続導体パターン６１２の最短長さは、０．４［ｍｍ］であった。ヴィアパッド６６６，６６７の直径が０．６［ｍｍ］であり、ヴィア導体６０６，６０７のピッチが１．０［ｍｍ］であるため、接続導体パターン６１３の最短長さは、０．４［ｍｍ］であった。ヴィアパッド６２６，６２７の直径が０．８［ｍｍ］であり、ヴィア導体６０６，６０７のピッチが１．０［ｍｍ］であるため、接続導体パターン６０８の最短長さは、０．２［ｍｍ］であった。ヴィアパッド６３６，６３７の直径が０．８［ｍｍ］であり、ヴィア導体６０６，６０７のピッチが１．０［ｍｍ］であるため、接続導体パターン６０９の最短長さは、０．２［ｍｍ］であった。ヴィアパッド６４６，６４７の直径が０．８［ｍｍ］であり、ヴィア導体６０６，６０７のピッチが１．０［ｍｍ］であるため、接続導体パターン６１０の最短長さは、０．２［ｍｍ］であった。ヴィアパッド６７６，６７７の直径が０．８［ｍｍ］であり、ヴィア導体６０６，６０７のピッチが１．０［ｍｍ］であるため、接続導体パターン６１１の最短長さは、０．２［ｍｍ］であった。絶縁体層の比誘電率は４．３とした。
【００８９】
配線パターン６０４の送信回路２００の側の端部より振幅Ｖｉｎ、立ち上がり時間３５［ｐｓ］のステップパルスを入力するＴＤＲ（Ｔｉｍｅ  Ｄｏｍａｉｎ  Ｒｅｆｌｅｃｔｏｍｅｒｙ）法により反射率を観測するシミュレーションを行った。そして、伝送線路６０１の特性インピーダンスを算出した。観測点（配線パターン６０４の送信回路２００の側の端部）の電圧をＶｒとし、パルス信号の出力インピーダンスを５０［Ω］とするとき、伝送線路６０１の特性インピーダンスＺは上記式（２）で計算できる。
【００９０】
上記条件でＴＤＲシミュレーションした結果を図６へ示す。縦軸が伝送線路６０１の特性インピーダンスで、横軸が時間である。伝送線路６０１の特性インピーダンスの中心値は５２［Ω］であった。また、伝送線路６０１の特性インピーダンスの最大値Ｚｍａｘが５５．２［Ω］、最小値Ｚｍｉｎが４７．６［Ω］となり、その差ΔＺが７．６［Ω］となった。
【００９１】
また最小値Ｚｍｉｎが４７．６［Ω］のとき、配線パターン６０４，６０５の特性インピーダンス５２［Ω］からの変位が最大４．４［Ω］となっている。この結果は、配線パターン６０４，６０５の特性インピーダンスが５２［Ω］±１０［％］（５７．２〜４６．８［Ω］）の範囲内にまで均一化している。
【００９２】
以上、本第２実施形態によれば、２つのヴィア導体６０６，６０７同士を信号配線パターン６５３〜６５６で接続したことで、ヴィア導体６０６，６０７の周辺のキャパシタンス成分が増加する。したがって、ヴィア導体６０６，６０７の周辺での特性インピーダンスの最大値が低減する。これにより、伝送線路６０１の特性インピーダンスが更に均一化され、伝送線路６０１におけるヴィア導体６０６，６０７の部分での特性インピーダンスの不整合が抑制される。
【００９３】
［第３実施形態］
次に、本発明の第３実施形態に係るプリント回路板について説明する。上記第１及び第２実施形態では、第１信号配線パターンが一方の表層に配置されている場合について説明したが、内層に配置されている場合であっても本発明は適用可能である。同様に、第２信号配線パターンが他方の表層に配置されている場合について説明したが、内層に配置されている場合であっても本発明は適用可能である。したがって、第３実施形態では、第１、第２信号配線パターンが内層に配置されている場合について説明する。図８は、本発明の第３実施形態に係るプリント回路板の断面図である。この図８では、プリント配線板の実装平面に垂直な面に沿うプリント回路板の断面を示している。プリント回路板１１００は、プリント配線板８００と、プリント配線板８００に実装された送信回路２００と、プリント配線板８００に実装された受信回路３００と、を備えている。
【００９４】
プリント配線板８００は、本第３実施形態では導体層が６層の基板であり、６つの導体層８８１，８８２，８８３，８８４，８８５，８８６が、絶縁体層８８７，８８８，８８９，８９０，８９１を介して積層されて形成されている。これら導体層８８１〜８８６は、互いに間隔をあけて順次配置されており、これらの層間に絶縁体層８８７〜８９１が設けられている。各絶縁体層８８７〜８９１には、絶縁体（誘電体）が配置されている。
【００９５】
本第３実施形態では、一対の表層のうち、導体層８８１が一方の表層（第１表層）、導体層８８６が一方の表層の反対側にある他方の表層（第２表層）である。一対の導体層８８１，８８６の間に、内層である第１導体層としての導体層８８２、第２導体層としての導体層８８５、第３導体層として複数の導体層８８３，８８４が、絶縁体層８８７〜８９１を介して配置されている。具体的には、導体層８８１と導体層８８２との間に絶縁体層８８７が配置され、導体層８８２と導体層８８３との間に絶縁体層８８８が配置され、導体層８８３と導体層８８４との間に絶縁体層８８９が配置されている。また、導体層８８４と導体層８８５との間に絶縁体層８９０が配置され、導体層８８５と導体層８８６との間に絶縁体層８９１が配置されている。なお、表層である導体層８８１，８８６の表面には導体パターンを保護する不図示のレジスト膜が設けられていてもよい。
【００９６】
送信回路２００及び受信回路３００は、例えば半導体パッケージで構成されている。送信回路２００は、導体層８８１に実装され、受信回路３００は、導体層８８６に実装されている。
【００９７】
プリント配線板８００は、信号を伝送する伝送線路８０１を備えており、伝送線路８０１の一端に送信回路２００の信号端子が接続され、伝送線路８０１の他端に受信回路３００の信号端子が接続されている。また、プリント配線板８００は、導体層８８３に配置されたプレーン状の導体パターンであるグラウンドプレーン８０２と、導体層８８４に配置されたプレーン状の導体パターンである電源プレーン８０３とを有している。
【００９８】
グラウンドプレーン８０２には、不図示のヴィア等を介して送信回路２００のグラウンド端子及び受信回路３００のグラウンド端子が接続されている。また、電源プレーン８０３には、不図示のヴィア等を介して送信回路２００の電源端子及び受信回路３００の電源端子が接続されている。
【００９９】
送信回路２００は、信号として、所定の伝送速度のデジタル信号を伝送線路８０１に送出し、受信回路３００は、送信回路２００が送出したデジタル信号を、伝送線路８０１を介して受信する。
【０１００】
伝送線路８０１は、導体層８８２に配置された第１信号配線パターンである信号配線パターン８５３と、導体層８８５に配置された第２信号配線パターンである信号配線パターン８５６と、を有している。これら信号配線パターン８５３，８５６は、導体パターンで形成されている。
【０１０１】
また、伝送線路８０１は、プリント配線板８００に形成された第１ヴィア孔であるヴィア孔８６１に形成され、信号配線パターン８５３と信号配線パターン８５６とを接続する第１ヴィア導体であるヴィア導体８０６を有している。また、伝送線路８０１は、プリント配線板８００に形成された第２ヴィア孔であるヴィア孔８６２に形成され、信号配線パターン８５３と信号配線パターン８５６とを接続する第２ヴィア導体であるヴィア導体８０７を有している。これらヴィア孔８６１，８６２、即ちヴィア導体８０６，８０７は、間隔をあけて互いに隣接して配置されている。本実施形態では、ヴィア孔８６１，８６２は、導体層８８２、８８３、８８４、８８５と絶縁体層８８８、８８９、８９０を貫通しており、ヴィア導体８０６，８０７は、プリント配線板８００表面に開口していないベリードヴィアである。
【０１０２】
更に、伝送線路８０１は、第３導体層である導体層８８３に配置され、ヴィア導体８０６とヴィア導体８０７とを接続する第３信号配線パターンである信号配線パターン８５４を有している。更にまた、伝送線路８０１は、導体層８８４に配置され、ヴィア導体８０６とヴィア導体８０７とを接続する第３信号配線パターンである信号配線パターン８５５を有している。
【０１０３】
このように伝送線路８０１は、第３信号配線パターンを、第３導体層に対応して複数有しており、本第３実施形態では、２つの導体層８８３，８８４に対応して、２つ有している。即ち伝送線路８０１は、複数の第３信号配線パターンとして、信号配線パターン８５３，８５４を有している。
【０１０４】
更に、第３実施形態では、伝送線路８０１は、導体層８８１に配置された第４信号配線パターンである信号配線パターン８５１と、導体層８８６に配置された第５信号配線パターンである信号配線パターン８５２と、を有している。信号配線パターン８５１には、送信回路２００が接続され、信号配線パターン８５２には、受信回路３００が接続されている。
【０１０５】
プリント配線板８００には、導体層８８１及び絶縁体層８８７を貫通する第３ヴィア孔であるヴィア孔９０２が形成されている。伝送線路８０１は、ヴィア孔９０２に形成され、信号配線パターン８５１と信号配線パターン８５３とを接続する第３ヴィア導体であるヴィア導体９０１を有している。ヴィア導体９０１は、プリント配線板８００の一方の表層である導体層８８１側に開口しているブラインドヴィアである。
【０１０６】
また、プリント配線板８００には、導体層８８６及び絶縁体層８９１を貫通する第４ヴィア孔であるヴィア孔９１２が形成されている。伝送線路８０１は、ヴィア孔９１２に形成され、信号配線パターン８５６と信号配線パターン８５２とを接続する第４ヴィア導体であるヴィア導体９１１を有している。ヴィア導体９１１は、プリント配線板８００の導体層８８６側に開口しているブラインドヴィアである。なお、図８中、符号Ｄ３は、ヴィア導体８０６，８０７のピッチ、符号Ｔ３は、プリント配線板８００の総厚である。
【０１０７】
本実施形態では、信号配線パターン８５３，８５６間がヴィア導体８０６，８０７で並列化されている。更に、本実施形態では、ヴィア導体８０６，８０７間を信号配線パターン８５４，８５５で接続している。これにより、信号配線パターン８５１〜８５６間の容量性結合によるキャパシタンス成分が増加する。したがって、ヴィア導体８０６，８０７の周辺部分の特性インピーダンスが低減され、伝送線路８０１における特性インピーダンスのばらつき幅が低減する。
【０１０８】
図９（ａ）は、図８中矢印Ｘ方向から見たプリント配線板８００の導体層８８１の平面図である。図９（ｂ）は、図８中矢印Ｘ方向から見たプリント配線板８００の導体層８８２の平面図である。図９（ｃ）は、図８中矢印Ｘ方向から見たプリント配線板８００の導体層８８３の平面図である。図９（ｄ）は、図８中矢印Ｘ方向から見たプリント配線板８００の導体層８８４の平面図である。図９（ｅ）は、図８中矢印Ｘ方向から見たプリント配線板８００の導体層８８５の平面図である。図９（ｆ）は、図８中矢印Ｘ方向から見たプリント配線板８００の導体層８８６の平面図である。
【０１０９】
図９（ａ）に示すように、信号配線パターン８５１は、ヴィア導体９０１に接続されたヴィアパッド８１６を有している。また、信号配線パターン８５１は、送信回路２００とヴィアパッド８１６とを接続する配線パターン８０４を有している。
【０１１０】
また、図９（ｆ）に示すように、信号配線パターン８５２は、ヴィア導体９１１に接続されたヴィアパッド８６７を有している。また、信号配線パターン８５２は、受信回路３００とヴィアパッド８６７とを接続する配線パターン８０５を有している。
【０１１１】
また、図９（ｂ）に示すように、信号配線パターン８５３は、ヴィア導体９０１に接続されたヴィアパッド９０３と、ヴィア導体８０６に接続されたヴィアパッド８２６と、ヴィア導体８０７に接続されたヴィアパッド８２７と、を有している。また、信号配線パターン８５３は、ヴィアパッド９０３とヴィアパッド８２６とを接続する接続導体パターン９０４と、ヴィアパッド８２６とヴィアパッド８２７とを接続する接続導体パターン８０８と、を有している。
【０１１２】
また、図９（ｃ）に示すように、信号配線パターン８５４は、ヴィア導体８０６に接続されたヴィアパッド８３６と、ヴィア導体８０７に接続されたヴィアパッド８３７と、を有している。また、信号配線パターン８５４は、ヴィアパッド８３６とヴィアパッド８３７とを接続する接続導体パターン８０９を有している。
【０１１３】
また、図９（ｄ）に示すように、信号配線パターン８５５は、ヴィア導体８０６に接続されたヴィアパッド８４６と、ヴィア導体８０７に接続されたヴィアパッド８４７と、を有している。また、信号配線パターン８５５は、ヴィアパッド８４６とヴィアパッド８４７とを接続する接続導体パターン８１０を有している。
【０１１４】
また、図９（ｅ）に示すように、信号配線パターン８５６は、ヴィア導体８０６に接続されたヴィアパッド８７６と、ヴィア導体８０７に接続されたヴィアパッド８７７と、ヴィア導体９１１に接続されたヴィアパッド９１３と、を有している。また、信号配線パターン８５６は、ヴィアパッド８７６とヴィアパッド８７７とを接続する接続導体パターン８１１と、ヴィアパッド８７７とヴィアパッド９１３と接続する接続導体パターン９１４と、を有している。
【０１１５】
接続導体パターン８０８〜８１１は、平面視（プリント配線板８００の実装平面に垂直な矢印Ｘ方向から見て）同一線上に配置されている。これにより、信号配線パターン８５１〜８５６間のキャパシタンス成分が高められ、より効果的にヴィア導体８０６，８０７の周辺の特性インピーダンスが低減される。
【０１１６】
本実施形態では、接続導体パターン８０８〜８１１は、矢印Ｘ方向から見て、ヴィア導体８０６の中心Ｐ３１とヴィア導体８０７の中心Ｐ３２とを結ぶ直線上に配置されている。したがって、これら接続導体パターン８０８〜８１１は、最短経路であり、配線の占有面積が小さくなっている。
【０１１７】
なお、導体層８８３にあるグラウンドプレーン８０２には、ヴィア導体８０６，８０７、ヴィアパッド８３６，８３７及び接続導体パターン８０９を取り囲んだクリアランスホール８７３が形成されている。また、導体層８８４にある電源プレーン８０３には、ヴィア導体８０６，８０７、ヴィアパッド８４６，８４７及び接続導体パターン８１０を取り囲んだクリアランスホール８７４が形成されている。
【０１１８】
なお、本発明は、以上説明した実施形態に限定されるものではなく、多くの変形が本発明の技術的思想内で当分野において通常の知識を有する者により可能である。
【０１１９】
上記第１、第２及び第３実施形態において、第３信号配線パターンが複数ある場合が好ましいが、いずれかの第３信号配線パターンが省略されていてもよく、第３信号配線パターンが１つの場合であってもよい。
【０１２０】
また、第３信号配線パターンが配置されている第３導体層が、第１導体層及び第２導体層のうち少なくとも一方に絶縁体層を介して隣接していることが好ましい。つまり、少なくとも１つの第３信号配線パターンは、第１信号配線パターン及び第２信号配線パターンのうちの少なくとも一方に絶縁体層を介して隣接しているのが好ましい。これにより、第１信号配線パターンと第３信号配線パターンとの容量性結合によるキャパシタンス成分が大きくなり、より効果的に特性インピーダンスのばらつき幅を低減することができる。なお、上記第１実施形態では、信号配線パターン１５３が絶縁体層１８５を介して信号配線パターン１５１に隣接し、信号配線パターン１５４が絶縁体層１８７を介して信号配線パターン１５２に隣接している。これにより、信号配線パターン１５１，１５３間、信号配線パターン１５２，１５４間のキャパシタンス成分の増加により、効果的に特性インピーダンスのばらつき幅を低減することができる。また、上記第２実施形態では、信号配線パターン６５３が絶縁体層６８７を介して信号配線パターン６５１に隣接し、信号配線パターン６５６が絶縁体層６９１を介して信号配線パターン６５２に隣接している。これにより、信号配線パターン６５１，６５３間、信号配線パターン６５２，６５６間のキャパシタンス成分の増加により、効果的に特性インピーダンスのばらつき幅を低減することができる。
【０１２１】
また、第３信号配線パターンが配置された第３導体層が複数ある場合、複数の第３導体層のうち、２つの第３導体層が絶縁体層を介して隣接していることが好ましい。つまり、２つの第３信号配線パターン同士が絶縁体層を介して隣接していることが好ましい。これにより、第３信号配線パターン間の容量性結合によるキャパシタンス成分が大きくなり、より効果的に特性インピーダンスのばらつき幅を低減することができる。なお、上記第１実施形態では、信号配線パターン１５３と信号配線パターン１５４とが絶縁体層１８６を介して互いに隣接している。これにより、信号配線パターン１５３，１５４間のキャパシタンス成分の増加により、効果的に特性インピーダンスのばらつき幅を低減することができる。また、上記第２実施形態では、信号配線パターン６５３と信号配線パターン６５４とが絶縁体層６８８を介して互いに隣接している。また、信号配線パターン６５４と信号配線パターン６５５とが絶縁体層６８９を介して互いに隣接している。更に、信号配線パターン６５５と信号配線パターン６５６とが絶縁体層６９０を介して互いに隣接している。これにより、信号配線パターン６５３，６５４間、信号配線パターン６５４，６５５間、信号配線パターン６５５，６５６間のキャパシタンス成分の増加により、効果的に特性インピーダンスのばらつき幅を低減することができる。また、上記第３実施形態では、信号配線パターン８５３と信号配線パターン８５４とが絶縁体層８８８を介して互いに隣接している。また、信号配線パターン８５４と信号配線パターン８５５とが絶縁体層８８９を介して互いに隣接している。更に、信号配線パターン８５５と信号配線パターン８５６とが絶縁体層８９０を介して互いに隣接している。これにより、信号配線パターン８５３，８５４間、信号配線パターン８５４，８５５間、信号配線パターン８５５，８５６間のキャパシタンス成分の増加により、効果的に特性インピーダンスのばらつき幅を低減することができる。
【０１２２】
また、上記第１実施形態では導体層が４層のプリント配線板であり、上記第２、第３実施形態では導体層が６層のプリント配線板である場合について説明したが、導体層が３層以上のプリント配線板であれば本発明は適用可能である。つまり、第１導体層と第２導体層との間に第３導体層が複数配置されている場合について説明したが、第３導体層が１つ配置されている場合であっても本発明は適用可能である。
【０１２３】
また、上記第１、第２及び第３実施形態では、送信回路２００が一方の表層に実装され、受信回路３００が他方の表層に実装され、伝送線路がヴィア導体を介して両方の表層に跨って配線される場合について説明したが、これに限定するものではない。送信回路２００及び受信回路３００が一対の表層のうち、いずれか一方に実装されている場合であっても、伝送線路がヴィア導体を介して配線されていれば、本発明は適用可能である。
【０１２４】
また、上記第１、第２及び第３実施形態では、各接続導体パターンが、平面視で同一線上に配置されている場合について説明したが、これに限定するものではない。ヴィア導体の周辺部分のキャパシタンス成分の増加の程度は低下するものの、各接続導体パターンが平面視でずれて配置されていてもよく、この場合であっても、キャパシタンス成分の増加の効果が得られ、特性インピーダンスのばらつき幅が低減する。
【符号の説明】
【０１２５】
１００…プリント配線板、１０１…伝送線路、１０６…ヴィア導体（第１ヴィア導体）、１０７…ヴィア導体（第２ヴィア導体）、１５１…信号配線パターン（第１信号配線パターン）、１５２…信号配線パターン（第２信号配線パターン）、１５３…信号配線パターン（第３信号配線パターン）、１５４…信号配線パターン（第３信号配線パターン）、１８１…導体層（第１導体層）、１８２…導体層（第３導体層）、１８３…導体層（第３導体層）、１８４…導体層（第２導体層）、１８５，１８６，１８７…絶縁体層、２００…送信回路、３００…受信回路、５００…プリント回路板
【図１】
2014225640.tif 000003
【図２】
2014225640.tif 000004
【図３】
2014225640.tif 000005
【図４】
2014225640.tif 000006
【図５】
2014225640.tif 000007
【図６】
2014225640.tif 000008
【図７】
2014225640.tif 000009
【図８】
2014225640.tif 000010
【図９】
2014225640.tif 000011